(57)【要約】【課題】画像形成媒体に形成する画像の色をユーザが容易且つ適切に変換することのできる技術を提供する。【解決手段】画像形成対象の画像に対応するＲＧＢデータを入力するスキャナ機能部１１と、画像の第１色系列を第１色系列と異なる第２色系列に変換するとの変換指示を受け付ける受付処理部１４ａと、画像のＲＧＢデータを、画像の第１色系列が第２色系列となるようにＣＭＹデータに変換する変換部１４ｂと、ＣＭＹデータに基づいて、画像を画像形成媒体に形成するプリンタ機能部１２とを有するように構成する。【選択図】図１
2009005294.tif 000002
【特許請求の範囲】
【請求項１】
画像形成対象の画像に対応する第１表色系の画像データを入力する入力手段と、
前記画像の第１色系列を前記第１色系列と異なる第２色系列に変換するとの変換指示を受け付ける受付手段と、
前記画像の前記第１表色系の画像データを、前記画像の前記第１色系列が前記第２色系列となるように第２表色系の画像データに変換する変換手段と、
前記第２表色系の画像データに基づいて、前記画像を画像形成媒体に形成する画像形成手段と、
を有する画像形成装置。
【請求項２】
前記第１表色系の画像データの取り得る階調値と、前記第１色系列が前記第２色系列に変換される場合に対応する前記第２表色系の画像データの階調値との対応関係を格納した色変換テーブルを記憶する記憶手段を更に備え、
前記変換手段は、前記色変換テーブルに基づいて、前記第１表色系の画像データを前記第２表色系の画像データに変換する
請求項１に記載の画像形成装置。
【請求項３】
前記色変換テーブルを作成する色変換テーブル作成手段
を更に有する
請求項２に記載の画像形成装置。
【請求項４】
前記第１色系列と前記第２色系列とのそれぞれの候補となる色系候補を示す画像を選択可能に表示する候補表示手段を更に備え、
前記受付手段は、前記色系候補の画像に対する選択によって、前記変換指示を受け付ける
請求項１乃至請求項３のいずれか一項に記載の画像形成装置。
【請求項５】
前記候補表示手段は、前記色系候補の画像として、当該色系候補に対応する色を表示するとともに、当該色系候補の名称を表示する
請求項４に記載の画像形成装置。
【請求項６】
サンプル画像の第１サンプル画像データを記憶する記憶手段と、
前記サンプル画像の第１サンプル画像データを、前記サンプル画像の前記第１色系列を前記第２色系列に変換した変換後サンプル画像の第２サンプル画像データに変換する画像変換手段と、
前記第２サンプル画像データに基づいて、前記変換後サンプル画像を表示するサンプル表示手段とを有する
請求項１乃至請求項５のいずれか一項に記載の画像形成装置。
【請求項７】
画像形成媒体に画像を形成する画像形成装置による画像形成方法であって、
前記画像形成装置の入力手段が、画像形成対象の画像に対応する第１表色系の画像データを入力する入力ステップと、
前記画像形成装置の受付手段が、前記画像の第１色系列を前記第１色系列と異なる第２色系列に変換するとの変換指示を受け付ける受付ステップと、
前記画像形成装置の交換手段が、前記画像の前記第１表色系の画像データを、前記画像の前記第１色系列が前記第２色系列となるように第２表色系の画像データに変換する変換ステップと、
前記画像形成装置の画像形成手段が、前記第２表色系の画像データに基づいて、前記画像を画像形成媒体に形成する画像形成ステップと
を有する画像形成方法。
【発明の詳細な説明】
【技術分野】
【０００１】
本発明は、画像形成対象の画像を形成する画像形成装置等に関し、画像の色を変換する画像形成装置等に関する。
【背景技術】
【０００２】
従来、画像形成装置として、例えば、プリンタ、スキャナ等を有する複合機が知られている。複合機においては、例えば、複数色の原稿の画像をスキャナで読み込み、プリンタにより、当該原稿の画像を紙等の画像形成媒体に形成するといった、所謂コピー処理が行われている。
【０００３】
近年では、このコピー処理によって、原稿画像の色を高精度に再現した画像を画像形成媒体に形成することができるようになっている。
【０００４】
ところで、画像形成装置を利用するユーザとしては、健常者だけでなく、色盲や色弱者もいるが、色盲や色弱者にとっては、原稿画像の色を忠実に再現した画像では、画像における色の違い等を認識できなかったり、認識しづらかったりする問題がある。
【０００５】
これに対して、例えば、あらかじめ登録された色盲及び色弱者にとって誤認傾向のある色に関する情報を参照して、外部から入力された画像データに誤認要因となる色が含まれているか判断し、誤認要因が含まれていると判断された画像データの色を所定の色に変換して表示する技術が知られている（例えば、特許文献１参照）。
【０００６】
【特許文献１】特開２００６−２４６０７２号公報
【発明の開示】
【発明が解決しようとする課題】
【０００７】
例えば、特許文献１の技術によると、外部から入力された画像データに誤認要因となる色が含まれているか判断し、誤認要因が含まれていると判断された画像データの色を所定の色に変換して表示するので、色盲及び色弱者にとって見易い画像を表示することができる。
【０００８】
ここで、色盲や色弱者であっても、色の見え方や、色の区別の度合い等は、ユーザによって様々である。これに対して、特許文献１によると、例えば、色覚障害における数学的モデルに基づいて色の変換を行うようにしているため、数学モデルで想定されている色盲及び色弱者に対応することができるものの、各ユーザにとっては、必ずしも適切なものとはなっていないという虞がある。例えば、自分では区別できる色までも他の色に変換されてしまう虞がある。また、数学モデルにおいて想定されていないような色覚障害があるユーザにとっては、自分にとって見易くならない虞もある。
【０００９】
また、健常者のユーザにおいては、原稿の色を所望の色に変換してコピー等したいという要請がある。
【００１０】
そこで、本発明の目的は、画像形成媒体に形成する画像の色をユーザが容易且つ適切に変換することのできる技術を提供することにある。
【課題を解決するための手段】
【００１１】
上記目的達成のため、本発明の一実施形態に係る画像形成装置は、画像形成対象の画像に対応する第１表色系の画像データを入力する入力手段と、画像の第１色系列を第１色系列と異なる第２色系列に変換するとの変換指示を受け付ける受付手段と、画像の第１表色系の画像データを、画像の第１色系列が第２色系列となるように第２表色系の画像データに変換する変換手段と、第２表色系の画像データに基づいて、画像を画像形成媒体に形成する画像形成手段とを有する。ここで、第１色系列とは、第１色と、当該第１色の中間色とを含む色の集合を意味し、第２色系列とは、第２色と、当該第２色の中間色とを含む色の集合を意味する。係る画像形成装置によると、第１色系列を第２色系列とした画像を画像形成媒体に容易に形成することができる。
【００１２】
また、上記画像形成装置において、第１表色系の画像データの取り得る階調値と、第１色系列が第２色系列に変換される場合に対応する第２表色系の画像データの階調値との対応関係を格納した色変換テーブルを記憶する記憶手段を更に備え、変換手段は、色変換テーブルに基づいて、第１表色系の画像データを第２表色系の画像データに変換するようにしてもよい。係る画像形成装置によると、色変換テーブルによって、第１表色系の画像データを第２表色系の画像データに迅速に変換することができる。
【００１３】
また、上記画像形成装置において、色変換テーブルを作成する色変換テーブル作成手段
を更に有するようにしてもよい。係る画像形成装置によると、必要な全ての色変換テーブルを記憶しておく必要がなく、画像形成装置におけるメモリ効率を高く維持することができる。
【００１４】
また、上記画像形成装置において、第１色系列と第２色系列とのそれぞれの候補となる色系候補の画像を選択可能に表示する候補表示手段を更に備え、受付手段は、色系候補の画像に対する選択によって、変換指示を受け付けるようにしてもよい。係る画像形成装置によると、色変換の指示を容易に行うことができる。
【００１５】
また、上記画像形成装置において、候補表示手段は、色系候補の画像として、当該色系に対応する色を表示するとともに、当該色系候補の名称を表示するようにしてもよい。係る画像形成装置によると、表示された色によって、ユーザがどのような色かを把握でき、また、色系候補の名称により、その色が何色であるかを適切に把握できる。このため、ユーザが色盲や色弱者である場合であっても、色系候補が何色を指しているかを適切に把握できるとともに、その色はどのように実際見えるのかを把握できる。
【００１６】
また、上記画像形成装置において、サンプル画像の第１サンプル画像データを記憶する記憶手段と、サンプル画像の第１サンプル画像データを、サンプル画像の第１色系列を第２色系列に変換した変換後サンプル画像の第２サンプル画像データに変換する画像変換手段と、第２サンプル画像データに基づいて、変換後サンプル画像を表示するサンプル表示手段とを有するようにしてもよい。係る画像形成装置によると、サンプル画像により、第１色系列を第２色系列に変換するとどのような見え方をするのかを適切に把握することができる。
【００１７】
また、上記目的達成のため、本発明の一実施形態に係る画像形成方法は、画像形成媒体に画像を形成する画像形成装置による画像形成方法であって、画像形成装置の入力手段が、画像形成対象の画像に対応する第１表色系の画像データを入力する入力ステップと、画像形成装置の受付手段が、画像の第１色系列を第１色系列と異なる第２色系列に変換するとの変換指示を受け付ける受付ステップと、画像形成装置の交換手段が、画像の第１表色系の画像データを、画像の前記第１色系列が第２色系列となるように第２表色系の画像データに変換する変換ステップと、画像形成装置の画像形成手段が、第２表色系の画像データに基づいて、画像を画像形成媒体に形成する画像形成ステップとを有する。係る画像形成方法によると、第１色系列を第２色系列とした画像を画像形成媒体に容易に形成することができる。
【発明を実施するための最良の形態】
【００１８】
本発明の実施形態について、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００１９】
まず、本発明の一実施形態に係る電子機器の一例である複合機について説明する。
【００２０】
図１は、本発明の一実施形態に係る複合機の構成図である。
【００２１】
複合機１は、制御ユニット１０と、入力手段の一例としてのスキャナ機能部１１と、画像形成手段の一例としてのプリンタ機能部１２と、ＦＡＸ（ファクシミリ）機能部１３とを有する。スキャナ機能部１１は、図示しない原稿給紙トレイに載置された紙、ＯＨＰシート等の原稿を読み取ってデジタル画像データ（例えば、ＲＧＢ表色系（第１表色系）の画像データ）を生成する。プリンタ機能部１２は、画像データ（例えば、ＣＭＹ表色系（第２表色系）の画像データ）を受信し、例えば、紙、ＯＨＰシート、厚紙、封筒等の画像形成媒体に画像を形成する。ＦＡＸ機能部１３は、公衆回線を介して、外部のＦＡＸ装置との間でＦＡＸデータの送受信を行う。
【００２２】
制御ユニット１０は、スキャナ機能部１１、プリンタ機能部１２及びＦＡＸ機能部１３に対するユーザからの各種指示を受け付けるとともに、ユーザへの各種情報の出力を行う。また、制御ユニット１０は、スキャナ機能部１１、プリンタ機能部１２及びＦＡＸ機能部１３の統括制御を行う。具体的には、制御ユニット１０は、スキャナ機能部１１に画像読取処理を実行させる。また、制御ユニット１０は、プリンタ機能部１２に画像形成処理を実行させる。また、制御ユニット１０は、スキャナ機能部１１及びプリンタ機能部１２を制御することにより、原稿の内容を所定の画像形成媒体に形成する、いわゆる、コピー処理を実行させる。すなわち、制御ユニット１０は、原稿をスキャナ機能部１１により読み取らせてデジタル画像データを生成させ、そのデジタル画像データを所定の画像データに変換してプリンタ機能部１２に送信して画像形成媒体に形成させる。また、制御ユニット１０は、スキャナ機能部１１及びＦＡＸ機能部１３を制御することにより、原稿の内容をＦＡＸデータとして外部のＦＡＸ装置に送信させ、また、ＦＡＸ機能部１３及びプリンタ機能部１２を制御することにより、外部のＦＡＸ装置からのＦＡＸデータを受信して、ＦＡＸデータに対応する画像を出力させる。
【００２３】
次に、制御ユニット１０のより詳細な構成について説明する。
【００２４】
制御ユニット１０において、ＣＰＵ（Central Processing Unit）１４と、ＲＯＭ（Read Only Memory）１５と、ＲＡＭ（Random Access Memory）１６と、記憶手段の一例としてのＥＥＰＲＯＭ（Electrically Erasable Programmable Read-Only Memory）１７と、入力インターフェース部（入力Ｉ／Ｆ部）１８と、表示処理部１９と、通信インターフェース部（通信Ｉ／Ｆ部）２０、２１、２２及び２３とがバス２４を介して接続されている。
【００２５】
ＲＯＭ１５は、ブートプログラム等のプログラムを記憶する。ＲＡＭ１６は、プログラムやデータを記憶する領域として、或いは、ＣＰＵ１４による処理に使用しているデータを格納する作業領域として利用される。また、ＥＥＰＲＯＭ１７は、書き換え可能な不揮発性メモリであり、複合機１の電源が入っていない場合でも記憶しておく必要がある各種情報を記憶する。本実施形態では、例えば、ＲＧＢデータ（第１表色系画像データ）をＣＭＹデータ（第２表色系画像データ）に変換するための色変換テーブル（図２参照）を記憶する。ここで、Ｒは赤を示し、Ｇは緑を示し、Ｂは青を示し、Ｃはシアンを示し、Ｍはマゼンタを示し、Ｙはイエローを示す。また、ＥＥＰＲＯＭ１７は、複数色によって構成されているサンプル画像についてのＲＧＢデータを記憶する。
【００２６】
図２は、本発明の一実施形態に係る色変換テーブルを説明する図である。図２（ａ）は、色変換テーブルによって変換するＲＧＢデータの色空間を説明する図であり、図２（ｂ）は、色変換テーブルの一例を説明する図である。
【００２７】
ＲＧＢデータにおける各画素のデータは、Ｒ、Ｇ、Ｂの３つの色成分の階調値によって構成されている。各色成分の階調値は、例えば、０〜ＦＦ（１０進数で２５５）の範囲の値が設定される。
【００２８】
従って、ＲＧＢデータの各画素のデータがとり得る範囲は、図２（ａ）に示すような立方体の空間（色空間）となり、それぞれの画素データは、当該色空間内のいずれかの格子点に対応している。
【００２９】
図２（ａ）に示すように、立方体の８つの頂点は、それぞれ特定の色に対応している。すなわち、Ｋ（０，０，０）は、黒に対応し、Ｒ（ＦＦ，０，０）は、赤に対応し、Ｇ（０，ＦＦ，０）は、緑に対応し、Ｂ（０，０，ＦＦ）は、青に対応し、Ｙ（ＦＦ，ＦＦ，０）は、黄に対応し、Ｍ（ＦＦ，０，ＦＦ）は、マゼンタに対応し、Ｃ（０，ＦＦ，ＦＦ）はシアンに対応し、Ｈ（ＦＦ，ＦＦ，ＦＦ）は、白に対応している。なお、これらＫ，Ｒ、Ｇ、Ｂ、Ｃ、Ｍ、Ｙ、Ｈの８色を基本色ということとする。
【００３０】
図２（ａ）の各格子点に対応するＲＧＢ表色系の画素データと、その画素データに対応するＣＭＹ表色系の画像データの階調値との対応関係は、色変換テーブルとして管理される。色変換テーブルは、目的とする色変換に応じた種々の色変換テーブルが用意されて利用される。
【００３１】
図２（ｂ）は、色を忠実に変換する場合におけるＲＧＢデータとＣＭＹデータとの対応関係を示す色変換テーブル１００である。
【００３２】
色変換テーブル１００は、ＲＧＢ表色系の画素データ１０１と、当該画素データに対応するＣＭＹ表色系の画素データのデータ値１０２との対応関係を記憶している。ここで、本実施形態では、ＣＭＹ表色系における画素データにおいては、Ｃ、Ｍ、Ｙの各成分は、０〜ＦＦ間での階調値を取ることができ、階調値が大きいほどその成分が強いことを意味している。
【００３３】
例えば、緑色であるＲＧＢ表色系の画素データ（０，ＦＦ，０）は、ＣＭＹ表色系の画像データ（ＦＦ，０，ＦＦ）と対応付けられている。また、シアンであるＲＧＢ表色系の画素データ（０，ＦＦ，ＦＦ）は、ＣＭＹ表色系の画像データ（ＦＦ，０，０）と対応付けられている。尚、ＲＧＢ表色系の画素データ（０，０，０）は黒色を、ＣＭＹ表色系の画素データ（０，０，０）は白色を表すことになる。
【００３４】
図１に戻り、入力Ｉ／Ｆ部１８には、キー部２５と、タッチパネル２６とが接続されている。入力Ｉ／Ｆ１８は、キー部２５、タッチパネル２６からの信号をデータとして、ＣＰＵ１４に出力する。キー部２５は、図３に示すように操作パネル２８に設けられた、スタートボタン、ストップボタン、テンキー等を有し、押下されたボタン、キーに応じた信号を入力Ｉ／Ｆ部１８に出力する。タッチパネル２６は、図３に示すように、液晶表示装置（ＬＣＤ）２７上に重ねられて設けられており、ユーザによって押下されたタッチパネル２６上の位置に応じた信号を入力Ｉ／Ｆ部１８に出力する。表示処理部１９は、例えば、ＶＲＡＭ（Video Random Access Memory）を有し、ＣＰＵ１４の制御により、各種画像データを生成し、当該画像データに基づく画面を図３に示すようにＬＣＤ２７に表示出力する。
【００３５】
通信Ｉ／Ｆ部２０は、ＣＰＵ１４とスキャナ機能部１１とのデータ交換の仲介を行う。通信Ｉ／Ｆ部２１は、ＣＰＵ１４とプリンタ機能部１２とのデータ交換の仲介を行う。通信Ｉ／Ｆ部２２は、ＣＰＵ１４とＦＡＸ機能部１３とのデータ交換の仲介を行う。通信Ｉ／Ｆ部２３は、図示しないネットワークと接続可能であり、ネットワークを介して他の装置とのデータ交換の仲介を行う。
【００３６】
ＣＰＵ１４は、各部１５〜２３、１１、１２、１３の動作を制御する。また、ＣＰＵ１４は、ＲＯＭ１５に格納されているプログラムをＲＡＭ１６に読み出して実行することにより、受付手段の一例としての受付処理部１４ａと、変換手段、色変換テーブル作成手段、及び画像変換手段の一例としての変換部１４ｂと、候補表示手段及びサンプル表示手段の一例としての表示制御部１４ｃと、機能部制御部１４ｄとを構成して各種処理を実行する。
【００３７】
受付処理部１４ａは、キー部２５、タッチパネル２６に対するユーザから各種指示を受ける。本実施形態では、受付処理部１４ａは、コピー処理、スキャン処理、ＦＡＸ処理等の開始指示や、色変換に関する各種選択指示等を受け付ける。受付処理部１４ａは、変換対象となる色系列（対象色系列：第１色系列）の指定として、例えば、当該色系列を特定する基本色の指定を受け付け、また、対象色系列を変換すべき色系列（変換色系列：第２色系列）の指定として、例えば、当該色系列を特定する基本色の指定を受け付けることにより、色変換指示を受け付けている。なお、受付処理部１４ａは、色変換としては、一つの色系列を変換する指定だけでなく、複数の色系列を変換する指定も受け付けることができるようになっている。
【００３８】
変換部１４ｂは、ＲＧＢデータをＣＭＹデータに変換するための色変換テーブルであって、受付処理部１４ａが受け付けた色変換指示が示す対象色系列を変換色系列に変換するための色変換テーブルを作成する。
【００３９】
ここで、対象色系列を変換色系列に変換するための色変換テーブルは、例えば、図２（ｂ）に示す色変換テーブル１００に基づいて作成することができる。例えば、緑系列をシアン系列に変換する色変換テーブルであれば、図２（ａ）に示す色空間において、点Ｇを点Ｃに移動させる変換を行った際に、変換の影響を受ける各格子点（緑及び緑の中間色）について、変換後の位置に対応する格子点に対して色変換テーブル１００で対応付けられているＣＭＹデータと対応付けるようにすることにより作成できる。このような色変換テーブルを用いて変換を行うことにより、例えば、緑の中間色をその階調値に応じて、シアンの異なる中間色へと変換することができる。これにより、変換前の色の差異を、変換後も適切に表現することができる。
【００４０】
変換部１４ｂは、ＲＡＭ１６からＲＧＢデータを取得し、当該ＲＧＢデータを色変換テーブルに基づいて、ＣＭＹデータに変換する。また、変換部１４ｂは、ＥＥＰＲＯＭ１７からサンプル画像のＲＧＢデータを取得し、当該ＲＧＢデータに対して指定された色変換を行って、色変換後のＲＧＢデータを作成する。
【００４１】
表示制御部１４ｃは、コピー基本画面２００（図５（ａ）参照）、カラーモード設定画面３００（図５（ｂ）参照）、色変換パラメータ確認変更画面４００（図６（ａ）参照）、色変換パラメータ変更設定画面５００（図６（ｂ）参照）等の画面を表示処理部１９によりＬＣＤ２７に表示させる。
【００４２】
機能部制御部１４ｄは、プリンタ機能部１２を制御して、画像形成媒体に画像を形成させる。例えば、機能部制御部１４ｄは、プリンタ機能部１２を制御して、画像データに基づいて、画像形成媒体に画像を形成させる。また、機能部制御部１４ｄは、スキャナ機能部１１を制御して、原稿の読み取りを実行させて、原稿の画像データを受け取って、ＲＡＭ１６に格納する。また、機能部制御部１４ｄは、ＦＡＸ機能部１３を制御して、ＦＡＸデータの送受信を行う。
【００４３】
次に、本発明の一実施形態に係る複合機１が実行する処理について説明する。
【００４４】
図４は、本発明の一実施形態に係る色変換コピー処理のフローチャートである。図５乃至図７は、本発明の一実施形態に係る表示画面の遷移を説明する図である。
【００４５】
まず、表示制御部１４ｃが図５（ａ）に示すコピー基本画面２００を表示処理部１９によりＬＣＤ２７に表示させる。ここで、受付処理部１４ａがコピー基本画面２００のカラーモードのその他ボタン２０１に対するユーザの押下指示があったか否かを判定し（ステップＳ１）、押下指示がない場合には、ステップＳ１０以降の処理に進む。
【００４６】
一方、押下指示があった場合には、受付処理部１４ａは、受け取った押下指示を表示制御部１４ｃに通知し、押下指示を受け取った表示制御部１４ｃが図５（ｂ）に示すカラーモード設定画面３００をＬＣＤ２７に表示させる（ステップＳ２）。このカラーモード設定画面３００においては、設定するパラメータを選択させるパラメータ選択ボタン３０１〜３０６が選択されていない場合には、確認・変更ボタン３０７は、選択不可能となっている。ここで、受付処理部１４ａは、設定するパラメータに対応するパラメータ選択ボタン３０１〜３０６のいずれかの選択をユーザから受け付ける（ステップＳ３）。受付処理部１４ａによって、パラメータ選択ボタン３０１〜３０６のいずれかが押下されると表示制御部１４ｃは、図５（ｃ）に示すように、選択されたパラメータに対応するパラメータ選択ボタン（図では、パラメータ１のパラメータ選択ボタン３０１）を反転表示させるとともに、確認・変更ボタン３０７を選択可能にする。
【００４７】
次いで、受付処理部１４ａがカラーモード設定画面３００の確認・変更ボタン３０７に対するユーザの押下指示があったか否かを判定し（ステップＳ４）、押下指示がない場合には、ステップＳ８以降の処理に進む。一方、確認・変更ボタン３０７の押下があった場合には、表示制御部１４ｃが図６（ａ）に示す色変換パラメータ確認変更画面４００をＬＣＤ２７に表示させる。色変換パラメータ確認変更画面４００においては、変換対象の候補となる色系列の代表色（原稿色：本例では、８つの基本色）の名称が表示される原稿色表示領域４０１と、各原稿色を変換するように設定された変換色（本例では、基本色）の名称が、その変換色の示す色を背景として表示される変換色表示領域４０２とが表示される。
【００４８】
受付処理部１４ａがパラメータ確認変更画面４００において、変換色表示領域４０２の変換色変更ボタン（例えば、変換色変更ボタン４０３）が押下されたか否かを判定し、変換色変更ボタンが押下された場合（ステップＳ５）には、表示制御部１４ｃが図６（ｂ）に示す色変換パラメータ変更設定画面５００がＬＣＤ２７に表示される（ステップＳ６）。この色変換パラメータ変更設定画面５００には、原稿色を変更する候補となる色系列の代表色（変換色：本例では、８つの基本色）が表示される変換色候補表示領域５０１と、サンプル画像を表示させる変換前画像表示領域５０２と、サンプル画像における原稿色を現在選択されている変換色に変換した場合のサンプル画像を表示させる変換後画像表示領域５０３とが表示される。
【００４９】
色変換パラメータ変更設定画面５００において、変換色候補表示領域５０１のいずれかの変換色選択ボタン（例えば、変換色選択ボタン５０４）が押下されたと受付処理部１４ａが判定すると、変換部１４ｂが、ＥＥＰＲＯＭ１７のサンプル画像のＲＧＢデータに対して、原稿色の色系列を選択された変換色の色系列に変換したＲＧＢデータを作成し、表示制御部１４ｃに渡す。その後、表示制御部１４ｃは、図６（ｃ）に示すように、押下された変換色選択ボタン５０４を反転表示させるとともに、変換部１４ｂによって変換されたＲＧＢデータに基づいて原稿色の色系列を選択された変換色の色系列に変換したサンプル画像を変換後画像表示領域５０３に表示させる。
【００５０】
次いで、受付処理部１４ａが図６（ｃ）に示す色変換パラメータ変更設定画面５００において、色変換の変更が終了したか否か、例えば、決定ボタン５０５が押下されたか否かを判定し（ステップＳ７）、色変換の変更が終了していない場合には、上記ステップＳ５からのステップを引き続き行う。
【００５１】
一方、色変換の変更が終了している場合には、表示制御部１４ｃは、図７に示すように、色変換の変更が反映された変換色変更ボタン（例えば、変換色変更ボタン４０３）を含む色変換パラメータ確認変更画面４００をＬＣＤ２７に表示させる。
【００５２】
色変換パラメータ確認変更画面４００において、閉じるボタン４０４が押下されると、表示制御部１４ｃは、当該色変換パラメータ確認変更画面４００を閉じて、図５（ｃ）に示すカラーモード設定画面３００を表示させる。
【００５３】
受付処理部１４ａが図５（ｃ）に示すカラーモード設定画面３００において、決定ボタン３０８が押下されたか否かを判定し（ステップＳ８）、決定ボタン３０８が押下されていない場合には、ステップＳ３からの処理を引き続き行う一方、決定ボタン３０８が押下された場合には、変換部１４ｂが、決定された色変更パラメータ、すなわち、決定された原稿色と変換色との対応関係に基づいて、色変換テーブルを作成し（ステップＳ９）、ＥＥＰＲＯＭ１７に格納し、更に表示制御部１４ｃがコピー基本画面２００をＬＣＤ２７に表示させる。
【００５４】
次いで、受付処理部１４ａがキー部２５のスタートボタンが押下されたか否かを判定し（ステップＳ１０）、スタートボタンが押下されていない場合には、スタートボタンが押下されるまで処理を待機する一方、スタートボタンが押下された場合には、コピー処理を開始する（ステップＳ１１）。コピー処理では、機能部制御部１４ｄがスキャナ機能部１１により原稿の画像読み取りを行わせることにより、スキャナ機能部１１から原稿のＲＧＢデータを取得して、ＲＡＭ１６に格納し、変換部１４ｂが作成した色変換テーブルに基づいて、ＲＡＭ１６に格納された原稿のＲＧＢデータをＣＭＹデータに変換し、機能部制御部１４ｄが変換されたＣＭＹデータをプリンタ機能部１２に送信することにより、プリンタ機能部１２に画像形成媒体に、設定された色変換が行われた画像を形成させる。これによって、原稿の画像に対して設定した色変換がされた画像が画像形成媒体に形成されることとなる。このため、ユーザが所望する色の画像を画像形成媒体に形成することができる。例えば、色盲や色弱者が所望する色で構成された画像を画像形成媒体に形成させることができる。
【００５５】
以上、本発明を実施形態に基づいて説明したが、本発明は上述した実施の形態に限られず、他の様々な態様に適用可能である。
【００５６】
例えば、上記実施形態では、指定された色変換に対応する色変換テーブルを作成し、当該色変換テーブルを用いて色変換するようにしていたが、本発明はこれに限られず、変換可能な色の組み合わせに対応する複数の色変換テーブルを予めＲＯＭ等に用意しておき、指定された色変換を行うための色変換テーブルをＲＯＭ等から取得し、当該色変換テーブルを用いて色変換するようにしてもよい。
【００５７】
また、上記実施形態では、指定された色変換を行うとともに、ＲＧＢデータをＣＭＹデータに変換するための色変換テーブルを用いていたが、本発明はこれに限られず、色変換テーブル１００を用意しておき、ＲＧＢデータに対して指定された色変換をし、その変換後のデータに対して色変換テーブル１００を利用してＣＭＹデータに変換するようにしてもよく、また、ＲＧＢデータを色変換テーブル１００によってＣＭＹデータに変換した後に、当該ＣＭＹデータに対して指定された色変換をするようにしてもよい。
【００５８】
また、上記実施形態では、第２表色系のデータとして、ＣＭＹデータを用いた例を示していたが、本発明はこれに限られず、例えば、第２表色系として、ＣＭＹデータにＫ（黒）成分を含めたＣＭＹＫデータを用いるようにしてもよい。この場合には、色変換テーブルには、各データ値に対応するＣＭＹＫデータの階調値を格納するようにすればよい。
【図面の簡単な説明】
【００５９】
【図１】本発明の一実施形態に係る複合機の構成図である。
【図２】本発明の一実施形態に係る色変換テーブルを説明する図である。
【図３】本発明の一実施形態に係る操作パネルの外観を示す図である。
【図４】本発明の一実施形態に係る色変換コピー処理のフローチャートである。
【図５】本発明の一実施形態に係る表示画面の遷移を説明する第１の図である。
【図６】本発明の一実施形態に係る表示画面の遷移を説明する第２の図である。
【図７】本発明の一実施形態に係る表示画面の遷移を説明する第３の図である。
【符号の説明】
【００６０】
１  複合機、１０  制御ユニット、１１  スキャナ機能部、１２  プリンタ機能部、１３  ＦＡＸ機能部、１４  ＣＰＵ、１４ａ  受付処理部、１４ｂ  変換部、１４ｃ  表示制御部、１４ｄ  機能部制御部、１５  ＲＯＭ、１６  ＲＡＭ、１７  ＥＥＰＲＯＭ、１８  入力Ｉ／Ｆ部、１９  表示処理部、２０、２１、２２、２３  通信Ｉ／Ｆ部、２４  バス、２５  キー部、２６  タッチパネル、２７  ＬＣＤ、２８  操作パネル。
【図１】
2009005294.tif 000003
【図２】
2009005294.tif 000004
【図３】
2009005294.tif 000005
【図４】
2009005294.tif 000006
【図５】
2009005294.tif 000007
【図６】
2009005294.tif 000008
【図７】
2009005294.tif 000009